(57)【特許請求の範囲】
【請求項１】
複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御装置において、  所定の回に圧延される鋼板のための制御指令として、少なくとも各圧延スタンドの圧延荷重の指令値、該ワークロールの圧下位置の指令値とロール速度の指令値を計算して出力するセットアップ部と、
所定の圧延スタンドで前記所定の回より前のいずれかの回である先の回に圧延された鋼板の先端部が圧延されたときの圧延荷重、圧下位置、ロール速度と、前記先の回に圧延された鋼板が前記所定のスタンドで前記先端部以外で圧延されているときの圧延荷重、圧下位置、ロール速度あるいはこれらを用いた演算結果で、該セットアップ部が出力したロール速度の指令値を補正する速度指令補正部とを備え、
前記速度指令補正部は、所定の回より前のいずれかの回に圧延された鋼板が前記所定のスタンドで前記先端部以外で安定してタンデム圧延されているときのスタンドのロール速度を、鋼板速度と鋼板厚みの積であるマスフローが一定であることを利用した演算で前記スタンドが先端を圧延しているときのスタンドのロール速度に換算し、前記換算されたロール速度を用いて該セットアップ部が出力したロール速度の指令値を補正すること
を特徴とする熱間タンデム圧延ミルの制御装置。
【請求項２】
複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御装置において、  所定の回に圧延される鋼板のための制御指令として、少なくとも各圧延スタンドの圧延荷重の指令値、該ワークロールの圧下位置の指令値とロール速度の指令値を計算して出力するセットアップ部と、
所定の圧延スタンドで前記所定の回より前のいずれかの回である先の回に圧延された鋼板の先端部が圧延されたときの圧延荷重、圧下位置、ロール速度と、前記先の回に圧延された鋼板が前記所定のスタンドで前記先端部以外で圧延されているときの圧延荷重、圧下位置、ロール速度あるいはこれらを用いた演算結果で、該セットアップ部が出力したロール速度の指令値を補正する速度指令補正部とを備え、
前記速度指令補正部は、所定の回より前のいずれかの回に圧延された鋼板がスタンドで安定して圧延されているときのスタンドのロール速度を、このときの圧延荷重と圧下位置およびスタンドが先端部を圧延しているときの圧延荷重と圧下位置を用い、マスフローが一定であることを利用した演算で各スタンドが先端部を圧延しているときのスタンドのロール速度に換算し、換算されたロール速度を用いて該セットアップ部が出力したロール速度の指令値を補正すること
を特徴とする熱間タンデム圧延ミルの制御装置。
【請求項３】
複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御装置において、
所定の回に圧延される鋼板のための制御指令として、少なくとも各圧延スタンドの圧延荷重、該ワークロールの圧下位置とロール速度の指令値を計算して出力するセットアップ部と、
所定圧延スタンドで前記所定の回より前のいずれかの回である先の回に圧延された鋼板の先端部が圧延されたときの圧延荷重、圧下位置、ロール速度と、前記先の回に圧延された鋼板が前記所定のスタンドで前記先端部以外で圧延されているときの圧延荷重、圧下位置、ロール速度と、最終出側スタンドで前記先の回に圧延された鋼板の先端部が圧延されたときの圧延荷重、圧下位置、ロール速度と、前記先の回に圧延された鋼板がスタンドで前記先端部以外で圧延されているときの圧延荷重、圧下位置、ロール速度あるいはそれらを用いた演算結果で、該セットアップ部が出力したロール速度の指令値を補正する速度指令補正部とを備え、
前記速度指令補正部は、所定の回より前のいずれかの回に圧延された鋼板が前記所定のスタンドで前記先端部以外で安定してタンデム圧延されているときのスタンドのロール速度を、鋼板速度と鋼板厚みの積であるマスフローが一定であることを利用した演算で前記スタンドが先端を圧延しているときのスタンドのロール速度に換算し、前記換算されたロール速度を用いて該セットアップ部が出力したロール速度の指令値を補正することを特徴とする熱間タンデム圧延ミルの制御装置。
【請求項４】
前記熱間タンデム圧延ミルの制御装置が出力する制御指令値及び前記制御対象からの検出値を収集する実績収集部と、
該実績収集部から、圧延スタンドで鋼板を一定長圧延したときの圧延荷重、圧下位置、ロール速度を先端部の値として抽出する先端値抽出部と、
先端値抽出部が抽出した各圧延スタンドの圧延荷重、圧下位置、ロール速度を格納する先端値記憶部と、
最終出側スタンドが鋼板を一定長圧延したときの各スタンドの圧延荷重、圧下位置、ロール速度を鋼板定常部の値として抽出する定常値抽出部と、
定常値抽出部が抽出した各圧延スタンドの圧延荷重、圧下位置、ロール速度を格納する定常値記憶部を備え、
前記速度指令補正部は、前記先の回に圧延された鋼板に対応して先端値記憶部と定常値記憶部に格納されている圧延荷重、圧下位置、ロール速度を用いた演算結果にしたがって、該セットアップ部が出力したロール速度の指令値を補正すること
を特徴とする請求項１から３のいずれか記載の熱間タンデム圧延ミルの制御装置。
【請求項５】
前記速度指令補正部が出力した各スタンドのロール速度の補正値のいずれかが上限値または下限値を逸脱していたとき、このスタンドの補正値１を上限値または下限値にリミットして補正値２を算出するとともに、補正値１を補正値２に変更したことによる各スタンドの補正値の相対関係の変化を最小とするように各スタンドの補正値を修正する速度指令バランス部を備えたこと
を特徴とする請求項１から４のいずれか記載の熱間タンデム圧延ミルの制御装置。
【請求項６】
前記速度指令補正部が出力した各スタンドのロール速度の補正値のいずれかが上限値または下限値を逸脱していたとき、このスタンドの補正値１を上限値または下限値にリミットして補正値２を算出するとともに、補正値２を補正値１で除した値を各スタンドの補正値に乗じることで各スタンドの補正値の相対変化を最小化する速度指令バランス部を備えたこと
を特徴とする請求項１から５のいずれか記載の熱間タンデム圧延ミルの制御装置。
【請求項７】
複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御方法において、
所定の回に圧延される鋼板のための制御指令として、少なくとも各圧延スタンドの圧延荷重、該ワークロールの圧下位置とロール速度の指令値を計算し、
所定の圧延スタンドで前記所定の回より前のいずれかの回である先の回に圧延された鋼板の先端部が圧延されたときの圧延荷重、圧下位置、ロール速度と、前記先の回に圧延された鋼板がスタンドで前記先端部以外で圧延されているときの圧延荷重、圧下位置、ロール速度あるいはそれらを用いた演算結果で、該ロール速度の指令値を補正して新たなロール速度の指令値を算出する熱間タンデム圧延ミルの制御方法であって、
前記所定の回より前のいずれかの回である先の回に圧延された鋼板がスタンドで前記先端部以外で安定してタンデム圧延されているときのスタンドのロール速度を、鋼板速度と鋼板厚みの積であるマスフローが一定であることを利用した演算で各スタンドが先端部を圧延しているときのスタンドのロール速度に換算し、
前記換算されたロール速度と前記先の回に圧延された鋼板に対するロール速度の指令値からその回以降に圧延される鋼板のために計算した該ロール速度の指令値を補正して新たなロール速度の指令値を算出する熱間タンデム圧延ミルの制御方法。
【請求項８】
複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御方法において、
所定の回に圧延される鋼板のための制御指令として、少なくとも各圧延スタンドの圧延荷重、該ワークロールの圧下位置とロール速度の指令値を計算し、
所定の圧延スタンドで前記所定の回より前のいずれかの回である先の回に圧延された鋼板の先端部が圧延されたときの圧延荷重、圧下位置、ロール速度と、前記先の回に圧延された鋼板がスタンドで前記先端部以外で圧延されているときの圧延荷重、圧下位置、ロール速度あるいはそれらを用いた演算結果で、該ロール速度の指令値を補正して新たなロール速度の指令値を算出する熱間タンデム圧延ミルの制御方法であって、
前記所定の回に圧延される鋼板のための制御指令として、少なくとも圧延スタンドの圧延荷重、該ワークロールの圧下位置とロール速度の指令値を計算し、
前記所定の回より前のいずれかの回である先の回に圧延された鋼板が各スタンドで安定してタンデム圧延されているときの各スタンドのロール速度を、このときの圧延荷重と圧下位置および各スタンドが鋼板先端を圧延しているときの圧延荷重と圧下位置を用い、マスフローが一定であることを利用した演算で各スタンドが先端部を圧延しているときの各スタンドのロール速度に換算し、
前記換算されたロール速度と前記先の回に圧延された鋼板に対するロール速度の指令値から前記所定の圧延される鋼板のために計算した該ロール速度の指令値を補正して新たなロール速度の指令値を算出する熱間タンデム圧延ミルの制御方法。
【請求項９】
前記所定の回に圧延される鋼板のための制御指令として、少なくとも各圧延スタンドの圧延荷重、該ワークロールの圧下位置とロール速度の指令値を計算し、
圧延スタンドで前回圧延された鋼板の先端部が圧延されたときの圧延荷重、圧下位置、ロール速度と、前記先の回に圧延された鋼板が各スタンドで安定してタンデム圧延されているときの圧延荷重、圧下位置、ロール速度と、最終出側スタンドで前記先の回に圧延された先端部が圧延されたときの圧延荷重、圧下位置、ロール速度と、前記先の回に圧延された鋼板が各スタンドで安定してタンデム圧延されているときの圧延荷重、圧下位置、ロール速度を取り込み、
これら用いた演算結果で、前記所定の回に圧延される鋼板のために計算した該ロール速度の指令値を補正して新たなロール速度の指令値を算出する
請求項７又は８のいずれか記載の熱間タンデム圧延ミルの制御方法。
【発明の詳細な説明】
【技術分野】
【０００１】
本発明は、熱間圧延ミルの制御装置及びその制御方法に係り、特に圧延スタンド間のマスフロー（鋼板板厚と板速の積）を精度よく制御することで、鋼板先端がスタンドに噛み込んだ直後の圧延を安定化し、良好な鋼板品質を得るために好適な熱間タンデム圧延ミルの制御装置及びその制御手法に関する。
【背景技術】
【０００２】
熱間圧延の技術分野では、圧延スタンドを複数設け、高温下の鋼板をその複数の圧延スタンドで順に加工する、いわゆるタンデム圧延ミルが用いられている。
【０００３】
鋼板の先端がスタンドに噛み込まれるとき、後段スタンドのロール速度に対して、鋼板の速度が早いとスタンド間で板がたるみ、圧延が不安定になる。逆に鋼板の速度が遅いとスタンド間で鋼板が引っ張られ、過大な張力が発生することにより、板幅や板厚が縮み、鋼板品質を悪化させる。したがって各スタンドのロール速度を適切な値に制御し、スタンド間の鋼板速度をマスフロー（鋼板板厚と板速の積）が一定になるように制御する必要がある。
【０００４】
これをスムーズに行うため従来の手法に、例えば、特開２００７−１８５７０３号公報には、スタンド間に取り付けられた板厚計の信号とルーパ角度、前後のスタンドの圧延荷重、圧下位置、ロール速度からスタンド間の鋼板のループ量を算出し、算出したループ量に応じて後ろのスタンドのロール速度を補正する方法が示されている。
【０００５】
また、例えば、特開平６−３３５７１９号公報には、補正の応答を上げるため、後段スタンドの出側板厚を実測または推定して、後段スタンドに鋼板が噛み込む前に前段スタンドの主機速度（ワークロール速度）を補正する方法が示されている。
【先行技術文献】
【特許文献】
【０００６】
【特許文献１】特開２００７−１８５７０３号公報
【特許文献２】特開平６−３３５７１９号公報
【発明の概要】
【発明が解決しようとする課題】
【０００７】
しかしながらこれら従来技術には以下の問題があった。熱間圧延ミルでは通常、板厚計は最終スタンド出側のみに備えられる。特許文献１の手法では、これに加えてスタンド間に板厚計とこれに必要な配線、計測器盤等の設置が必要なため、システムが高価になるとともに、メンテナンスや板厚計の定期的な校正等が必要になる問題があった。またこの手法は、板厚計が備えられたスタンド間にのみ有効なので、板厚計が備えられていないスタンド間ではマスフローが崩れる従前の問題があった。さらに多くのスタンド間に板厚計を備えることも、コストや保守の観点から現実的でない問題があった。
【０００８】
また特許文献２の手法では、後段スタンドの出側板厚を実測する場合には同様に板厚計の設置が必要になる問題があった。また推定する場合には推定誤差に依存して、制御の精度が悪化する問題があった。
【０００９】
したがって、本発明は、たとえスタンド間に板厚計が設置されてなくても、スタンド間の板厚推定精度に大きく依存せずに、鋼板先端がスタンドに噛み込んだ直後の圧延を安定化し、良好な品質の鋼板を得ることが可能な熱間タンデム圧延ミルの制御装置及びその制御方法を提供することにある。
【課題を解決するための手段】
【００１０】
上記目的を達成するために本発明では、複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御装置において、所定の回に圧延される鋼板のための制御指令として、少なくとも各圧延スタンドの圧延荷重の指令値、該ワークロールの圧下位置の指令値とロール速度の指令値を計算して出力するセットアップ部と、所定の圧延スタンドで前記所定の回より前のいずれかの回である先の回に圧延された鋼板の先端部が圧延されたときの圧延荷重、圧下位置、ロール速度と、前記先の回に圧延された鋼板が前記所定のスタンドで前記先端部以外で圧延されているときの圧延荷重、圧下位置、ロール速度あるいはこれらを用いた演算結果で、該セットアップ部が出力したロール速度の指令値を補正する速度指令補正部とを備えるように構成した。
【００１１】
あるいは、複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御装置において、所定の回に圧延される鋼板のための制御指令として、少なくとも各圧延スタンドの圧延荷重、該ワークロールの圧下位置とロール速度の指令値を計算して出力するセットアップ部と、所定の圧延スタンドで前記所定の回より前のいずれかの回である先の回に圧延された鋼板の先端部が圧延されたときの圧延荷重、圧下位置、ロール速度と、前記先の回に圧延された鋼板が前記所定のスタンドで前記先端部以外で圧延されているときの圧延荷重、圧下位置、ロール速度と、最終出側スタンドで前記先の回に圧延された鋼板の先端部が圧延されたときの圧延荷重、圧下位置、ロール速度と、前記先の回に圧延された鋼板がスタンドで前記先端部以外で圧延されているときの圧延荷重、圧下位置、ロール速度あるいはそれらを用いた演算結果で、該セットアップ部が出力したロール速度の指令値を補正する速度指令補正部とを備えるように構成した。
【００１２】
あるいは、複数の圧延スタンドを備えた熱間圧延機を制御対象とし、該圧延スタンドに備えられたワークロールで連続的に圧延される鋼板の板厚や圧延スタンド間の鋼板の張力等の制御対象の値を所望の値に制御する熱間タンデム圧延ミルの制御方法において、所定の回に圧延される鋼板のための制御指令として、少なくとも各圧延スタンドの圧延荷重、該ワークロールの圧下位置とロール速度の指令値を計算し、所定の圧延スタンドで前記所定の回より前のいずれかの回である先の回に圧延された鋼板の先端部が圧延されたときの圧延荷重、圧下位置、ロール速度と、前記先の回に圧延された鋼板がスタンドで前記先端部以外で圧延されているときの圧延荷重、圧下位置、ロール速度あるいはそれらを用いた演算結果で、該ロール速度の指令値を補正して新たなロール速度の指令値を算出するように構成した。
【発明の効果】
【００１３】
本発明によれば、熱間タンデムミルにおいて、各スタンドのロール速度を、例えば前回圧延された鋼板の安定状態を参考にして、スタンド間のマスフローを一定に保つように制御するので、この結果、鋼板先端の圧延を安定化できるとともに、高品質な鋼板が生産できる。
【図面の簡単な説明】
【００１４】
【図１】本発明の熱間タンデム圧延ミルの制御装置の構成を示した説明図である。
【図２】セットアップ手段１０１の処理である。
【図３】ドラフトスケジュールテーブル１０２の構成である。
【図４】速度パターンテーブル１０３の構成である。
【図５】先端値抽出手段１０５の処理である。
【図６】定常値抽出手段１０６の処理である。
【図７】先端値記憶手段１０７、定常値記憶手段１０８の構成である。
【図８】速度指令補正手段１０９の処理である。
【図９】速度指令補正手段１０９の処理を説明する模式図である。
【図１０】速度指令バランス手段１１０の処理である。
【図１１】速度指令バランス手段１１０の処理を説明する模式図である。
【発明を実施するための形態】
【００１５】
本発明の実施の形態を図面を用いて以下に説明する。
【実施例１】
【００１６】
図１に本発明の実施例を示す。熱間タンデム圧延ミルの制御装置１００は、例えば、単一のあるいは複数の計算機及びその入出力装置から構成され、制御対象１５０から種々の信号を受信し、制御信号を制御対象１５０に出力する。まず制御対象１５０の構成を説明する。「−手段と」記載の各機能は、単一のあるいは複数に分散された計算機のソフトウェアあるいは入出力回路として実装される。本実施例で制御対象１５０は、複数のスタンドからなる熱間圧延タンデムミルであり、図の例でミル１５１は、圧延スタンド１５２を７つ連続配置した構成となっている。図１で鋼板は、左から右に移動し、前工程である粗圧延機で生産された厚さ３０mm程度の粗材１６１はミル１５１の各圧延スタンド１５２で圧延により順次薄く加工され、Ｆ７出側で最終的に１mm〜１０mm程度の鋼板１６０として、払い出される。粗材１６１および鋼板１６０を直接圧延するのはワークロール１５３で、本発明でロール速度とはワークロール１５３の周速を意味している。本実施例ではミル１５１の最終圧延スタンド（Ｆ７）出側に、鋼板１６０の板厚を測定する板厚計１５４が備えられている。
【００１７】
次に熱間タンデム圧延ミルの制御装置１００の構成を説明する。熱間タンデム圧延ミルの制御装置１００は、圧延される鋼板のそれぞれについて、上位計算機５０から、鋼種、目標板厚、目標板幅等の圧延に必要な情報を受信し、ドラフトスケジュールテーブル１０２、速度パターンテーブル１０３を参照して、各圧延スタンド１５２に対してワークロール１５３の圧下位置（ロールギャップ）、ワークロール１５３のロール周速（ロール速度）、圧延荷重等を計算するセットアップ手段１０１、圧延実績や実際に制御対象に出力された制御指令値を収集する実績収集手段１０４、実績収集手段１０４が収集したデータから、前回圧延された鋼板１６０の先端部の圧延データを抽出する先端値抽出手段１０５、先端値抽出手段１０５で抽出した値を記憶する先端値記憶手段１０７、前回の鋼板１６０の圧延が定常状態に達した後の、各圧延スタンド１５２のロール速度、圧延荷重、圧下位置を抽出する定常値抽出手段１０６、定常値抽出手段１０６が抽出した値を記憶する定常値記憶手段１０８、先端値記憶手段１０７と定常値記憶手段１０８の内容を取り込み、次回圧延される鋼板に対してセットアップ手段１０１が算出したロール速度を補正する速度指令補正手段１０９、速度指令補正手段１０９の出力を取り込み、各圧延スタンド１５２のそれぞれに対する速度補正量を圧延スタンド間のバランスに配慮して上下限内にリミットする速度指令バランス手段１１０、最終的なロール速度の指令に対して、速度制御を行う速度制御手段１１１、セットアップ手段１０１が出力した圧下位置指令に対して、板厚計１５４で計測した実績板厚と目標板厚の差（板厚偏差）等の信号を用いて実際の圧下位置を制御する圧下位置制御手段１１２を備えた。
【００１８】
以下、各部の動作を詳細に説明する。図２にセットアップ手段１０１が実行する処理を示す。セットアップ手段１０１は、上位計算機５０から、鋼種、目標板厚、目標板幅等の圧延に必要な情報を受信した後、これから圧延される鋼板に対する制御指令を算出する。鋼板先端は、セットアップ手段１０１が出力した制御指令にしたがって圧延されるので、鋼板が下流スタンドに噛み込むときの挙動を安定化するためには、各スタンドのロール速度を、鋼板１６０のマスフローが乱れないようなバランスの良い指令にすることが必要である。まずＳ２−１でドラフトスケジュールテーブル１０２の対応する項目から、圧延スタンド１５２のそれぞれで粗材１６１および鋼板１６０をどれくらい薄くするかに対応した情報であるドラフトスケジュールを取り込む。
【００１９】
図３にドラフトスケジュールテーブル１０２の構成例を示す。図の例でドラフトスケジュールは、粗材１６１と鋼板１６０の厚み差に対して、各圧延スタンド１５２で圧延される値を、厚み差に対するパーセントで格納しており、各ドラフトスケジュールは圧延される鋼板の鋼種、板厚、板幅で層別されている。例えば鋼種がＳＳ４００、目標板厚が２.５mm、目標板幅が９００mmの３５mmの粗材１６１を考える。目標板厚は２.０〜３.０mm、目標板幅は１０００mm以下の層別が該当する。３５mm粗材１６１を２.５mmの鋼板１６０に圧延するので、板厚差３２.５mmについて、図３では、Ｆ１ではその２４％、Ｆ２では１６％を圧延することを示している。すなわちＦ１では、
【００２０】
〔数１〕
３２.５mm×２４／１００＝７.８mm
であるから、３５mmの粗材を２７.２mm（３５mm−７.８mm）に圧延すべきであることを示している。同様に、
【００２１】
〔数２〕
３２.５mm×１６／１００＝５.２mm
であるから、Ｆ２では２７.２mmの板を２２.０mm（２７.２mm−５.２mm）に圧延すべきであることを示している。ある層別に対して、ドラフトスケジュールの各圧延スタンドの数値の総和は１００であり、同様の計算手順を繰り返すと、Ｆ７（最終スタンド）の出側板厚は目標板厚である２.５mmになる。このようにしてセットアップ手段１０１は、Ｓ２−１で、上位計算機５０から受け取った次回圧延される鋼板の鋼種、板厚、板幅からドラフトスケジュールテーブル１０２の該当層別箇所を検索し、各圧延スタンドの圧延量を取り込む。次にＳ２−２で、速度パターンテーブル１０３から速度パターンを取り込み、各圧延スタンドのロール速度を計算する。
【００２２】
図４に速度パターンテーブル１０３の構成を示す。鋼板１６０の鋼種、目標板厚、目標板幅に対して、Ｆ７（最終圧延スタンド）から鋼板１６０の先端が払い出されるときの速度（初期速度）、その後、第１加速度、第２加速度、最大速度、最大速度から鋼板１６０の尾端を圧延するときの終期速度まで減速するときの減速度、および終期速度が、各層別毎に蓄積されている。セットアップ手段１０１は鋼板１６０の鋼種、板厚、板幅を判定して、速度パターンテーブル１０３から対応する速度パターンを抽出する。たとえば鋼種がＳＵＳ３０４、板厚２.０〜３.０mm、板幅が１００mm以下のときには、初期速度６５０mpm、第１加速度２mpm／ｓ、第２加速度１２mpm／ｓ、定常速度１０５０mpm、減速度６mpm／ｓ、終期速度９００mpmが設定されることを示している。次にＳ２−３で圧延温度を推定する。粗材１６１および鋼板１６０の温度は、温度計で検出した値と、熱輻射、熱伝達等を考慮した温度予測計算を組み合わせて推定する。温度推定方法は熱力学の文献等で多数紹介されており、さらに圧延における温度変化は、例えば「板圧延の理論と実際（日本鉄鋼協会）」の第６章（圧延における温度変化）で詳しく述べられているので、詳しい説明は省略する。Ｓ２−４では、各圧延スタンドで圧延される鋼板の硬さに相当する値である変形抵抗を計算する。変形抵抗については種々の文献で述べられている、例えば「板圧延の理論と実際（日本鉄鋼協会）」の第７章（変形抵抗）に詳しく説明されている。変形抵抗の代表的な計算式として、推定された圧延時の鋼板温度Ｔを用いて、
【００２３】
〔数３〕
ｋf＝Ｋεn(ｄε／ｄｔ)mexp（Ａ／Ｔ）
ε：ひずみ、（ｄε／ｄｔ）：ひずみ速度
Ｋ、ｎ、ｍ、Ａ：鋼種ごとに決まる定数
のように与えられる（「板圧延の理論と実際」７.５４式）。
【００２４】
次に、Ｓ２−５で各圧延スタンドのロール速度を計算する。Ｓ２−２で取り込んだ速度パターンはＦ７出側の板速なので、これを元に各圧延スタンドの出側板速を、以下により計算する。まず各圧延スタンドの出側板速を〔数４〕で計算する。
【００２５】
〔数４〕
Ｖsi＝Ｖs7×ｈi／ｈ7
Ｖsi：第ｉスタンドの出側板速
ｈi：第ｉスタンドの出側板厚
ｈ7：第７スタンド（最終圧延スタンド）の出側板厚
次に先進率を用いて、各圧延スタンドの出側板速から各圧延スタンドのロール速度を算出する。先進率は、ロール速度と出側板速の比であり、これらには〔数５〕の関係がある。
【００２６】
〔数５〕
Ｖri＝Ｖsi／ｆi
Ｖri：第ｉスタンドのロール速度
ｆi：第ｉスタンドの先進率
先進率は、同様に「板圧延の理論と実際」の第２章（２次元圧延理論）で述べられており、例えば〔数６〕のような関係式となることが、広く知られている。
【００２７】
〔数６〕
ｆ＝ｇ1（Ｈ、ｈ、Ｒ′、ｔb、ｔf、ｋf）
ｆ：先進率、Ｈ：圧延スタンドの入側板厚、ｈ：圧延スタンドの出側板厚
Ｒ′：偏平ロール径、ｔb：鋼板の後方張力、ｔf：鋼板の前方張力
ｋf：変形抵抗
〔数５〕を圧延スタンド毎に計算し、各圧延スタンドのロール速度を求める。
【００２８】
さらにＳ２−６で圧延荷重を計算する。圧延荷重も同様に「板圧延の理論と実際」の第２章（２次元圧延理論）で述べられている。圧延荷重は変形抵抗が大きいほど、入側板厚が厚く、出側板厚が薄いほど大きな値となり、以下のような関係式で表される。
【００２９】
〔数７〕
ｐ＝ｇ2（Ｈ、ｈ、Ｒ′、ｔb、ｔf、Ｋf、Ｑp、Ｑs）
ｐ：圧延荷重、Ｑp：ピーニング効果、Ｑs：圧下力関数
さらにＳ２−７でワークロール１５３の圧下位置（ロールギャップ）を計算する。圧下位置算出の基本部分は、〔数８〕の関係式で表されるが、実際には算出精度を上げるため、種々の補正項が付加される。
【００３０】
〔数８〕
Ｓ＝ｈ−ｐ／Ｋ
Ｓ：圧下位置、ｐ：圧延荷重、Ｋ：ミルばね定数  
セットアップ手段１０１は、次回圧延される鋼板に対応して上記のように計算したロール速度や圧下位置を制御指令として出力する。
【００３１】
図５に先端値抽出手段１０５の処理を示す。ここで実績収集手段１０４は制御対象１５０から送られる圧延情報や鋼板温度、熱間タンデム圧延ミルの制御装置１００が制御対象１５０に対して出力する指令値等の実績データを、周期的または鋼板の一定長に対応付けて収集する。先端値抽出手段１０５はこのような実績収集手段１０４の出力の中から、鋼板１６０の先端が圧延されたときの圧下位置、圧延荷重、ロール速度の値を、圧延スタンド毎に取り込む。本実施例では圧下位置と圧延荷重については実績値、ロール速度については速度制御手段１１１が出力した設定値を取り込むことにする。Ｓ５−１で、各圧延スタンドにおける鋼板１６０の払い出し長さ（圧延長）が一定長に到達したかどうかを判定する。圧延長は通常、制御対象１５０から取り込む信号の中に含まれており、〔数５〕の関係を用いて、各圧延スタンドのロール速度から先進率を用いて推定した鋼板１６０の速度を積分して算出される。本実施例では圧延長に着目して先端部のデータの抽出を行う。Ｓ５−１で鋼板１６０の払い出し長さが一定長に到達していないと判定された場合にはＳ５−１の処理を繰り返す。払い出し長さが一定長に到達していると判定された場合には、Ｓ５−２で実績収集手段から、該当圧延スタンドのロール速度、圧下位置、圧延荷重を取り込む。Ｓ５−３ですべての圧延スタンドについて処理が終了したかどうかを判定し、終了していない場合には、処理が終了していない圧延スタンドについて、Ｓ５−１〜Ｓ５−２を繰り返す。すべての圧延スタンドについて、鋼板先端のロール速度、圧下位置、圧延荷重の取り込みが終わった時点で、この鋼板１６０に対する先端値抽出手段１０５の処理を終了する。
【００３２】
図６に定常値抽出手段１０６の処理を示す。定常値抽出手段１０６はこのような実績収集手段１０４の出力の中から、圧延が定常状態に到達したときの各圧延スタンド同一時刻の圧下位置、圧延荷重、ロール速度の値を取り込む。Ｓ６−１で鋼板１６０のＦ７払い出し長さ（圧延長）が一定長に到達したかどうかを判定する。圧延長は通常、制御対象１５０から取り込む信号の中に含まれており、〔数５〕の関係を用いて、Ｆ７のロール速度から先進率を用いて推定した鋼板１６０の速度を積分して算出される。Ｆ７の圧延長が小さいとき、圧延は鋼板１６０噛み込み直後の過渡状態であるが、圧延長が大きくなると、圧延は安定する。この点に着目して、本実施例では圧延長に着目して圧延の安定性を判定し、定常データの抽出を行う。Ｓ６−１で鋼板１６０のＦ７払い出し長さが一定長に到達していないと判定された場合にはＳ６−１の処理を繰り返す。Ｆ７払い出し長さが一定長に到達していると判定された場合には、Ｓ６−２で実績収集手段から、各圧延スタンドのロール速度、圧下位置、圧延荷重を、一斉に取り込む。
【００３３】
図７に先端値記憶手段１０７と定常値記憶手段１０８の構成を示す。先端値記憶手段１０７は、各圧延スタンドが鋼板先端を圧延した時に対応して先端値抽出手段１０５が抽出して出力した圧下位置、圧延荷重、ロール速度の値を格納している。例えばＦ１の圧下位置は３０.４０mm、圧延荷重は２３６４ton、ロール速度は２７mpmであったことが記憶されている。定常値記憶手段１０８は、圧延が定常状態に到達したときに対応して定常値抽出手段１０６が出力した各圧延スタンド圧下位置、圧延荷重、ロール速度の値を格納している。例えばＦ１の圧下位置は２９.７８mm、圧延荷重は２３８０ton、ロール速度は２６.４mpmであったことが記憶されている。
【００３４】
図８に速度指令補正手段１０９が実行する処理を示す。まずＳ８−１で先端値記憶手段１０７から、各圧延スタンドに対応した前コイル先端部の圧下位置、圧延荷重、ロール速度を取り込む。次にＳ８−２で定常値記憶手段１０８から、各圧延スタンドに対応した前コイル定常部の圧下位置、圧延荷重、ロール速度を取り込む。Ｓ８−３で圧延スタンド毎に速度指令の補正量を算出するが、算出方法について、図９を用いて詳しく説明する。図９に鋼板先端と定常状態の圧延スタンドの挙動を第ｊスタンド（Ｆｊ）を例に示す。（ａ）は鋼板先端の挙動で、鋼板先端９０３を圧延した直後の圧延荷重、圧下位置、ロール速度がそれぞれ、Ｐact-top、Ｓact-top、Ｖset、Ｆｊスタンド出側の板厚がｈであることを示している。一方、（ｂ）は圧延が定常状態に達した後の挙動で、鋼板先端９０３はＦ７（最終圧延スタンド）出側にあり、全圧延スタンドが圧延を行っており、釣り合っている。このときの圧延荷重、圧下位置、ロール速度がそれぞれ、Ｐact-stab、Ｓact-stab、Ｖstab、またＦｊスタンド出側の板厚がｈであることを示している。このとき板厚と板速の積（マスフロー）が一定であることから、釣り合い状態から先端のあるべきロール速度を導出すると、〔数９〕が得られる。
【００３５】
〔数９〕
Ｖtop_est・（１＋ｆtop）・（Ｓtop＋Ｐtop／Ｍ）＝Ｖstab・（１＋ｆstab）
・（Ｓstab＋Ｐstab／Ｍ）
Ｖtop_est：鋼板先端を圧延した時のあるべきロール速度
ｆtop：鋼板先端部を圧延した時の先進率
Ｓtop：鋼板先端部を圧延した時の圧下位置
Ｐtop：鋼板先端部を圧延した時の圧延荷重
Ｍ：ミル定数
Ｖstab：鋼板定常部を圧延した時のロール速度
ｆstab：鋼板定常部を圧延した時の先進率
Ｓstab：鋼板定常部を圧延した時の圧下位置
Ｐstab：鋼板定常部を圧延した時の圧延荷重
Ｖ・（１＋ｆ）が板速、（Ｓ＋Ｐ／Ｍ）が板厚に対応している。
【００３６】
１＋ｆtop≒１＋ｆstabとすると、
【００３７】
〔数１０〕
Ｖtop_est・（Ｓtop＋Ｐtop／Ｍ）＝Ｖstab・（Ｓstab＋Ｐstab／Ｍ）
したがって、
【００３８】
〔数１１〕
Ｖtop_est＝Ｖstab・（Ｓstab＋Ｐstab／Ｍ）／（Ｓstab＋Ｐstab／Ｍ
＋Ｓtop−Ｓstab＋（Ｐtop−Ｐstab）／Ｍ）
＝Ｖstab・ｈ／（ｈ＋Ｓtop−Ｓstab＋（Ｐtop−Ｐstab）／Ｍ）
（Ｓstab−Ｐstab／Ｍ＝ｈ）
となる。同様にＦ７（最終圧延スタンド）について、
【００３９】
〔数１２〕
Ｖ7top_est＝Ｖ7stab・ｈ7／（ｈ7＋Ｓ7top−Ｓ7stab＋(Ｐ7top−Ｐ7stab)／Ｍ）
が得られる。また、最終圧延スタンドは速度制御の起点で、ロール速度は圧延中に変化しないので、
【００４０】
〔数１３〕
Ｖ7stab＝Ｖ7set
である。速度制御の起点を他のスタンドにすることもできる。各圧延スタンドの速度補正係数αiは、前回圧延した鋼板１６０に設定した速度指令と、圧延が釣り合った状態のロール速度から算出したあるべき速度指令の比である。あるべき速度指令は各スタンドで、圧延が釣り合った状態のロール速度を、このときの鋼板厚みと鋼板先端が圧延されたときの鋼板厚みを用いて、マスフローが一定則にしたがって鋼板先端のロール速度に換算することで求められる。すなわち〔数１４〕で計算できる。
【００４１】
〔数１４〕
αi＝（Ｖi_top_est／Ｖi_set）・（Ｖ7_set／Ｖ7_top_est）
＝（Ｖi_act_stab／Ｖi_set）・ｈi／｛（ｈi＋Ｓi_act_top
−Ｓi_act_stab＋Ｐi_act_top−Ｐi_act_stab）／Ｍi｝・｛（ｈ7
＋Ｓ7_act_top−Ｓ7_act_stab＋Ｐ7_act_top−Ｐ7_act_stab）
／Ｍ7｝／ｈ7
Ｖi_act_stab：第ｉスタンドが鋼板定常部を圧延した時のロール速度
Ｖi_set：第ｉスタンドが鋼板先端を圧延した時のロール速度設定値
ｈi：第ｉスタンドの出側板厚
Ｓi_act_top：第ｉスタンドが鋼板先端部を圧延した時の圧下位置
Ｓi_act_stab：第ｉスタンドが鋼板定常部を圧延した時の圧下位置
Ｐi_act_top：第ｉスタンドが鋼板先端部を圧延した時の圧延荷重
Ｐi_act_stab：第ｉスタンドが鋼板定常部を圧延した時の圧延荷重
Ｍi：第ｉスタンドのミル定数
Ｖ7_act_stab：第７スタンドが鋼板定常部を圧延した時のロール速度
Ｖ7_set：第７スタンドが鋼板先端を圧延した時のロール速度設定値
ｈ7：第７スタンドの出側板厚
Ｓ7_act_top：第７スタンドが鋼板先端部を圧延した時の圧下位置
Ｓ7_act_stab：第７スタンドが鋼板定常部を圧延した時の圧下位置
Ｐ7_act_top：第７スタンドが鋼板先端部を圧延した時の圧延荷重
Ｐ7_act_stab：第７スタンドが鋼板定常部を圧延した時の圧延荷重
Ｍ7：第７スタンドのミル定数
となる。すなわち前回圧延した鋼板の先端を圧延したときのロール速度、圧延荷重、圧下位置、鋼板の圧延が定常状態に達した後のロール速度、圧延荷重、圧下位置から、セットアップ手段が算出したロール速度を補正するための補正値が算出できる。あるいは、計算を簡単にするために、
【００４２】
〔数１５〕
αi＝（Ｖi_top_est／Ｖi_set）・（Ｖ7_set／Ｖ7_top_est）
＝（Ｖi_act_stab／Ｖi_set）・ｈi／｛（ｈi＋Ｓi_act_top
−Ｓi_act_stab＋Ｐi_act_top−Ｐi_act_stab）／Ｍi｝
のように計算することも考えられる。Ｓ８−３では、このような計算により圧延スタンド毎に速度指令の補正量を算出する。ちなみにＦ７（最終圧延スタンド）の速度指令補正量α7は、速度指令の起点になる圧延スタンドであることから、０である。Ｓ８−４ですべての圧延スタンドについて速度補正量の算出が終わったかを判定し、終わってなければＳ８−１〜８−４の処理を繰り返す。すべての圧延スタンドについて速度補正量の算出が終わっていれば、処理を終了する。
【００４３】
図１０に速度指令バランス手段１１０が行う処理を示す。速度指令バランス手段１１０は、速度指令補正手段１０９が出力した各圧延スタンドの速度指令補正量を取り込み、上下限制約を超えた補正量が算出された圧延スタンドがあった場合に、これを制限内にリミットした上で他の圧延スタンドの補正量をバランスさせる処理を行う。Ｓ１０−１で速度指令補正量が上下限を超えた圧延スタンドがあるかどうかを判定する。上下限を超えた圧延スタンドがない場合は、処理を終了する。上下限を超えた圧延スタンドがある場合には、Ｓ１０−２以降で、この圧延スタンドの速度指令補正量を上下限にリミットする処理を行う。Ｓ１０−２で速度指令補正量の絶対値が最大の圧延スタンドを特定し、速度指令補正量の上下限値αLを速度指令補正量絶対値の最大値で割り、速度補正バランス量α0を算出する。
【００４４】
〔数１６〕
α0＝αL／｜αmax｜
α0：速度補正バランス量
αL：速度補正量の上下限値
αmax：速度補正量絶対値の最大値
Ｓ１０−３で、〔数１７〕により、各圧延スタンドの補正量にα0を乗じることで、バランス後の補正量を算出する。
【００４５】
〔数１７〕
αi-b＝α0・αi
αi-b：バランスされた後の速度補正量
図１１に速度指令バランス手段１１０の処理内容を模式的に示す。図ではバランス前の補正量１１０１により、第１スタンド（Ｆ１）の速度指令補正量が最大となり、第２スタンド（Ｆ２）の速度指令補正量とともに、上限値を逸脱している。
【００４６】
ここで上下限値であるαLをαmaxで割ることにより、速度補正バランス量α0が得られる。そして各バランス前の速度補正量（図の白丸）を速度補正バランス量α0で割ることによりバランス後の補正量（図の黒丸）が得られる。
【００４７】
圧下位置制御手段は、セットアップ手段１０１から受けとった圧下位置指令を、圧延荷重の実績の変化や板厚計１５４で検出した実績板厚と目標板厚の差を反映して補正し、補正後の値を制御対象１５０に出力する。圧下位置の制御はＡＧＣ（Automatic Gauge Control）と呼ばれ、Bisra AGC、Monitor AGC、Gauge meter AGC等、種々の手法が知られている。また、圧下位置が変化すると入側鋼板と出側鋼板のマスフローの値が変化することに対して、これを補償するために圧下位置が変化したスタンドとこのスタンドから見た上流スタンドのロール速度を変化させる。
【００４８】
速度制御手段１１１は、速度指令バランス手段１１０が出力した速度指令に、圧下位置制御手段１１２が出力した速度補正量を加算した値を指令値にして、ワークロール１５３の速度制御を行う。速度制御系は、通常ＡＳＲ（Automatic Speed Control）と呼ばれる比例・積分の制御系で構成される。
【００４９】
本実施例では、速度指令補正量の上限と下限の値を絶対値としては同一としたが、異なった値でも、αmaxをαiと上下限値の比で定義することにより、同様の考え方で処理することができる。また速度バランス手段１１０を省略し、速度指令補正手段１０９が出力した速度指令にしたがって速度制御手段１１１が動作する構成も考えられる。
【００５０】
また本実施例では圧延長に着目して定常部データの抽出を行ったが、圧下位置、圧延荷重、ロール速度の値を直接用いて、それらが一定以上変化しないことで圧延の安定性を判定し、定常データ抽出の条件とすることもできる。
【００５１】
さらに図２でセットアップ手段１０１はドラフトスケジュールから計算を始めて、圧延荷重、圧下位置、ロール速度を計算したが、荷重バランスから計算を始める手法も知られており、本発明は、この場合にも同様に適用できる。
【００５２】
また、本発明ではワークロール１５３の周速を速度指令の補正対象にしたが、ワークロールを駆動する主機モータの回転速度、主機ドライブの速度指令等補正の対象にしても、等価な処理で実現できる。
【００５３】
以上のように、先端値記憶手段は、各スタンドが前回圧延された鋼板の先端部を圧延したときの各スタンドのロール速度、圧延荷重、圧下位置の値を記憶する。定常値記憶手段は、前回圧延された鋼板に対して、圧延が定常状態に達したときの各スタンドのロール速度、圧延荷重、圧下位置を記憶する。速度指令補正手段は、各スタンドのマスフローが概ね一定となり、圧延が釣り合った定常状態のロール速度に対して、鋼板先端からの圧下位置と圧延荷重の変化を補償する演算を施し、前回圧延された鋼板の先端に対して算出すべきであったロール速度を計算する。そしてこのロール速度とセットアップ手段が実際に出力したロール速度の比を、速度指令補正量として出力する。速度指令バランス手段は、各スタンドに対する速度補正量の上下限をチェックし、あるスタンドの速度補正量が上下限を逸脱しているとき、スタンド間の補正バランスに配慮して速度補正量を上下限内にリミットする処理を行う。
【００５４】
次回圧延する鋼板のセットアップでは、セットアップ手段が計算したロール速度指令値を速度補正量を用いて補正することにより、各スタンドのマスフローが概ね一定となる速度指令を算出し、出力できる。
【００５５】
本発明は、熱間タンデム圧延ミルのセットアップ制御に、有効に適用できる。
【符号の説明】
【００５６】
１００  熱間タンデム圧延ミルの制御装置
１０１  セットアップ手段
１０２  ドラフトスケジュールテーブル
１０３  速度パターンテーブル
１０５  先端値抽出手段
１０６  定常値抽出手段
１０７  先端値記憶手段
１０８  定常値記憶手段
１０９  速度指令補正手段
１１０  速度指令バランス手段
１５０  制御対象
１５１  ミル
１６０  鋼板
【図１】
0005783925.tif 000002
【図２】
0005783925.tif 000003
【図３】
0005783925.tif 000004
【図４】
0005783925.tif 000005
【図５】
0005783925.tif 000006
【図６】
0005783925.tif 000007
【図７】
0005783925.tif 000008
【図８】
0005783925.tif 000009
【図９】
0005783925.tif 000010
【図１０】
0005783925.tif 000011
【図１１】
0005783925.tif 000012